(57)【要約】      （修正有）【課題】ばら物の分配を行う分配コンベアにおいて、詰まりが発生した場合にその詰まりを緩和あるいは解消する。【解決手段】駆動モータ２１で駆動されてばら物を移送する移送機構がケーシングに内蔵され、ケーシングには、供給口と、複数の排出口とが設けられ、複数の排出口にはそれぞれを開閉可能とするシャッターが設けられ、シャッターの開閉操作によりばら物を各排出口から分配供給するようにした分配コンベアにおいて、移送機構を駆動する駆動モータ２１の電流を検出する電流センサ２１ｂを設け、移送機構の通常使用状態での駆動モータ２１の電流値を特定電流値として制御装置３１に記憶させ、電流センサ２１ｂにより検出された電流値が前記特定電流値よりも大きいとき、分配コンベアの複数の排出口のうち少なくとも一つのシャッターを作動させて排出口を開放してばら物をケーシング外に排出させる。【選択図】図１
2011105439.tif 000002
【特許請求の範囲】
【請求項１】
駆動モータで駆動されてばら物を移送する移送機構がケーシングに内蔵され、
そのケーシングには、ばら物が供給される供給口と、前記移送機構によるばら物の移送方向に離間して設置された複数の排出口とが設けられ、
かつ、これらの複数の排出口にはそれぞれの排出口を開閉可能とするシャッターが設けられ、
これらのシャッターの開閉操作によりケーシング内に供給されたばら物を各排出口から分配供給するようにした分配コンベアにおいて、
前記移送機構を駆動する駆動モータの電流を検出する電流センサを設けるとともに、
前記移送機構の通常使用状態での駆動モータの電流値を特定電流値として制御装置に記憶させ、
前記電流センサにより検出された電流値が、前記特定電流値よりも大きいと制御装置が判断した場合、
制御装置は、前記複数の排出口のうち少なくとも一つのシャッターを作動させてその排出口を開放し、その排出口からケーシング内のばら物をケーシング外に排出させることを特徴とする分配コンベア。
【請求項２】
前記移送機構の通常使用状態での駆動モータの電流値に変動範囲がある場合には、前記特定電流値は、その変動範囲の上限値とすることを特徴とする請求項１記載の分配コンベア。
【請求項３】
前記移送機構は、エンドレスに構成されたコンベアチェーンに所定の間隔でスクレパーを支持させ、該スクレパーでケーシング底部に達したばら物を移送させるものであることを特徴とする請求項１または２記載の分配コンベア。
【請求項４】
前記電流センサにより検出された電流値が、前記特定電流値よりも大きいと制御装置が判断した場合に、開放される排出口には、前記供給口の直近に位置する排出口を含むことを特徴とする請求項１から３のいずれかに記載の分配コンベア。
【発明の詳細な説明】
【技術分野】
【０００１】
この発明は、ばら物と呼ばれる粒状または粉状固形物の単一の供給流れから、ばら物を分配して複数の供給先に向けて供給する分配コンベアに関するものである。
【背景技術】
【０００２】
従来、ばら物の単一の流れからばら物を分配して複数の供給先に向けて供給するコンベアとしては、コンベアベルトにばら物が搭載されて移送されるようにし、所要の位置でスクレパーをコンベアベルト上に降ろして、コンベアベルト上のばら物を、ホッパに取り出す技術がある（例えば、特許文献１参照）。
【０００３】
また、従来、スクリュコンベアにあっては、スクリュコンベアのケーシングに螺旋軌跡上に断続的に周方向の位相を変えて断続的排出口１０を形成し、粒状物を分配するものがある（例えば、特許文献２参照）。
【先行技術文献】
【特許文献】
【０００４】
【特許文献１】特開平７−６９４４０号公報
【特許文献２】特開平１１−２７８６３７号公報
【発明の概要】
【発明が解決しようとする課題】
【０００５】
ところで、例えば石炭火力発電設備においては、塊状の石炭が統一的にある程度粉砕して、粒状あるいは粉状のばら物とし、これを分配コンベアを用いて複数の各発電設備分毎に分配した後に、各発電設備に適するようにそれぞれをさらに調整を行って各発電設備のボイラに燃料として供給するようにしている。
【０００６】
このような分配コンベアには、前記のように粒状から粉状というように大きさの異なる石炭粒が混合状態で供給されるうえ、石炭の産地などによっては石炭の湿分が多い場合がある。このような場合には、石炭が分配コンベアのケーシング内の各所に付着して堆積しやすく、また石炭粒同士が付着して塊状となりやすいので、分配コンベアの詰まりを生じやすいという問題がある。この問題に対応するためには常時監視が必要であるが、他の操作など輻輳する場合には、分配コンベアに詰りを生じてコンベアがトリップすることも皆無とは言えない。
【０００７】
この発明は、粒径にばらつきのあるばら物の分配を行う分配コンベアにおいて、詰まりが発生した場合にその詰まりを緩和あるいは解消することを目的とする。
【課題を解決するための手段】
【０００８】
上記目的を達成するために、請求項１に記載の発明は、
駆動モータで駆動されてばら物を移送する移送機構がケーシングに内蔵され、
そのケーシングには、ばら物が供給される供給口と、前記移送機構によるばら物の移送方向に離間して設置された複数の排出口とが設けられ、
かつ、これらの複数の排出口にはそれぞれの排出口を開閉可能とするシャッターが設けられ、
これらのシャッターの開閉操作によりケーシング内に供給されたばら物を各排出口から分配供給するようにした分配コンベアにおいて、
前記移送機構を駆動する駆動モータの電流を検出する電流センサを設けるとともに、
前記移送機構の通常使用状態での駆動モータの電流値を特定電流値として制御装置に記憶させ、
前記電流センサにより検出された電流値が、前記特定電流値よりも大きいと制御装置が判断した場合、
制御装置は、前記複数の排出口のうち少なくとも一つのシャッターを作動させてその排出口を開放し、その排出口からケーシング内のばら物をケーシング外に排出させることを特徴とする。
【０００９】
この発明によれば、電流センサにより検出された電流値から詰まりの発生を早期に把握することができ、複数の排出口のうち少なくとも一つのシャッターを作動させてその排出口を開放し、その排出口からケーシング内のばら物をケーシング外に排出させることによって、ケーシング内で発生した詰まりの緩和あるいは解消をすることができる。
【００１０】
請求項２に記載の発明は、請求項１記載の分配コンベアにおいて、前記移送機構の通常使用状態での駆動モータの電流値に変動範囲がある場合には、前記特定電流値は、その変動範囲の上限値とすることを特徴とする。
【００１１】
請求項３に記載の発明は、請求項１または２記載の分配コンベアにおいて、前記移送機構は、エンドレスに構成されたコンベアチェーンに所定の間隔でスクレパーを支持させ、該スクレパーでケーシング底部に達したばら物を移送させるものであることを特徴とする。
【００１２】
請求項４に記載の発明は、請求項１から３のいずれかに記載の分配コンベアにおいて、前記電流センサにより検出された電流値が、前記特定電流値よりも大きいと制御装置が判断した場合に、開放される排出口には、前記供給口の直近に位置する排出口を含むことを特徴とする。
【発明の効果】
【００１３】
請求項１に記載の発明によれば、駆動電流センサにより検出された電流値から詰まりの発生を早期に把握することができ、複数の排出口のうち少なくとも一つのシャッターを作動させてその排出口を開放し、その排出口からケーシング内のばら物をケーシング外に排出させることによって、ケーシング内で発生した詰まりを重度な状態になる前の軽度なうちに緩和あるいは解消をすることができる。
【００１４】
請求項２に記載の発明によれば、特定電流値を、駆動モータの電流値の変動範囲の上限値とするので、詰まりの把握が正確になり、移送機構の通常使用状態での無用なシャッター作動の頻度を少なくすることが可能となる。
【００１５】
請求項３に記載の発明によれば、移送機構が、エンドレスに構成されたコンベアチェーンに所定の間隔でスクレパーを支持させ、該スクレパーでケーシング底部に達したばら物を移送させる構成としてあるので、上方に位置するチェーンの戻り行程のチェーンやスクレパーの隙間を通じて、石炭をケーシングの底部に投入することができ、分配コンベアの構成が比較的簡易かつコンパクトな構成でありながら、ケーシング内の詰まりの緩和や解消という機能を具備することができる。
【００１６】
請求項４に記載の発明によれば、電流センサにより検出された電流値が、前記特定電流値よりも大きいと制御装置が判断した場合に、開放される排出口には、前記供給口直近に位置する排出口を含むので、ケーシング内でばら物が蓄積されることの多いこの部分からばら物を確実に排出することができ、詰まりの緩和や解消という目的に対して効果的にばら物を排出することができる。
【図面の簡単な説明】
【００１７】
【図１】制御系統の概略を示すブロック図である。
【図２】分配コンベアの側面視の概略図である。
【図３】分配コンベアの平面視の概略図である。
【図４】分配コンベアの移送機構の駆動スプロケット側端部の内部構造を示す拡大側面図である。
【図５】図２における５（ローマ数字）矢視図である。
【図６】図２における６（ローマ数字）矢視図である。
【図７】コンベヤ駆動チェーンの拡大側面図である。
【発明を実施するための形態】
【００１８】
つぎに、この発明の実施の形態について図面を用いて詳しく説明する。
【００１９】
まず、図２および３において、１は分配コンベアを示し、２はケーシング、３は移送機構である。分配コンベア１のケーシング２は長尺角柱状の外形をした箱状に形成されていて、このケーシング２の内部には移送機構３が内装されている。
【００２０】
ケーシング２の図上右側となる上面には、ばら物である粒状または粉状に破砕された石炭（以下、この明細書において、特に断りがない限り単に石炭という）Ｃをケーシング２内に供給するための供給口５が形成されている。ケーシング２の底面２ｂには、４つの排出口６Ｐ，６Ｑ，６Ｒ，６Ｓが、ケーシング２の長手方向、すなわち石炭Ｃが移送機構３により移送される方向に互いに所要の間隔をおいて並んで設けられている。なお、これら４つの排出口６Ｐ，６Ｑ，６Ｒ，６Ｓには、同じ構造でそれぞれの排出口６Ｐ，６Ｑ，６Ｒ，６Ｓを開閉可能に閉止するシャッター機構２６やそのアクチュエータ（ソレノイド２７）が後述するように設置されている。
【００２１】
ケーシング２の内部には、図２において左端の近くの部分から前記供給口５の左端直下の位置までをケーシング２の全幅に渡って棚板状に設置した上底１１が固定構造として形成されている。この上底１１の幅方向中央部分には、上方に突出した突条部１１ａ（図４参照）が上底１１の長さ方向のほぼ全長に渡って形成され、さらに、この突条部１１ａの上面には後述する移送チェーン１６の駆動を案内して摺動支持する案内支持部材１１ｂ（図６参照）がほぼ全長に渡って設置されている。また、ケーシング２の内部で、図２および図４における左端部には、側面視で中凹状に湾曲した板材からなるカバー１２が固定構造として設置されている。
【００２２】
このように構成されたケーシング２内には次に説明する移送機構３が設置されている。本実施形態の移送機構３は、駆動スプロケット１４、従動スプロケット１５と、これらに巻回装着される移送チェーン１６とを備える（図２）。駆動スプロケット１４は、図４に示すようにケーシング２の左端部に回転可能に軸支され、前記カバー１２の凹部内側に小さな間隙をおいて臨んでいる。従動スプロケット１５は、ケーシング２の逆側端部すなわち図２においては右端部に回転可能に軸支されている。移送チェーン１６は、これらの駆動スプロケット１４と従動スプロケット１５とを巻回するように装着されていて、移送チェーン１６の各リンク１７には一定の間隔をおいてスクレパー１８が移送チェーン１６の両側に垂直に張り出し、かつ、移送チェーン１６の内周側に大きく張り出すように設置されている（図７、図６等参照）。なお、従動スプロケット１５は、軸支位置を進退可能としてチェーン張力の調整ができるようにするため、公知のチェーンテンショナ機構を介してケーシング２に支持されている。
【００２３】
前記した移送機構３は、ケーシング２の左端部外側に装着された駆動モータ２１の動力がチェーン２２を介して駆動スプロケット１４に伝えられ、駆動スプロケット１４は図４において矢印で示すように時計まわりの方向で回転駆動される。そのため、移送チェーン１６の下側チェーンが張り側チェーンであり、逆に上側チェーンは緩み側チェーンである。このように構成された移送機構３の機能は後述する。
【００２４】
次にケーシング２の底部に形成された４つの排出口６Ｐ，６Ｑ，６Ｒ，６Ｓの構造を詳しく説明するが、前記したように各排出口６Ｐ，６Ｑ，６Ｒ，６Ｓの構造が同じであるので、以下では主に図５により排出口６Ｓのみについてその構造を説明し、その他の排出口６Ｐ，６Ｑ，６Ｒについては同じ説明を繰り返さない。前記駆動スプロケット１４の近傍の底面２ｂには、平面視矩形状の大きな透孔２５が形成されて排出口６Ｓを構成している。この透孔２５の縁部となる底板２ｂ下面には、この透孔２５を開閉可能とするシャッター機構２６と、このシャッター機構２６を開閉操作するためのアクチュエータとしてのソレノイド２７Ｓと、そのソレノイド２７Ｓの開閉作動を制御するためのソレノイド制御部２８Ｓとが設けられている。なお、以下において、排出口６Ｐ，６Ｑ，６Ｒについてのソレノイド２７やソレノイド制御部制御部２８等を他の排出口のものと区別する場合には、それぞれのものにつき添え字Ｐ，Ｑ，Ｒを用いて表示する。
【００２５】
シャッター機構２６は、シャッター板案内保持枠２６ａとシャッター板２６ｂとを有する。シャッター板案内保持枠２６ａは、平面視形状が略ロ字状に形成され、底板２ｂの下面に装着されて前記透孔２５の縁部を囲むようになっていて、シャッター板２６ｂの縁部を進退可能に保持するものである。シャッター板２６ｂは、所定寸法の矩形状に形成された板材からなり、ケーシング２の側面側となるシャッター板案内保持枠２６ａに形成されたスリットを通じて先端側を挿入してセットされ、このシャッター板２６ｂを図５に両頭矢印で示すように進退操作することにより、前記透孔２５が開閉可能となっている。そして、このように構成されたシャッター板２６ｂの後端には、次に述べるソレノイド２７Ｓの操作ロッド２７ａの先端が連結されている。
【００２６】
アクチュエータとしてのソレノイド２７Ｓは、固定設備に固定されたシリンダ２７ｂと、このシリンダ２７ｂに対して進退駆動される操作ロッド２７ａとを備えており、適宜の通電により操作ロッド２７ａを伸張あるいは短縮させて前記排出口６ｄを開閉することができる。このソレノイド２７Ｓの操作ロッド２７ａの動作は、付随するソレノイド制御部２８Ｓに制御装置３１から所要の信号を入力させることで適宜に設定することができるようになっている。
【００２７】
この分配コンベア１の制御装置３１は、図１に示すように構成されている。制御装置３１は、ＣＰＵ３２と、記憶装置３３とを備える。ＣＰＵ３２には、駆動モータ２１のモータ制御部２１ａに設置された電流センサ２１ｂから駆動モータ２１への供給電流値の信号が入力される。また、この分配コンベア１の下流側関係設備である中継ホッパ３５Ｐ，３５Ｑ，３５Ｒ，３５Ｓ内にそれぞれ配置されたレベルセンサ３６Ｐ，３６Ｑ，３６Ｒ，３６Ｓから、それぞれの中継ホッパ３５Ｐ，３５Ｑ，３５Ｒ，３５Ｓ内に蓄積されている石炭量信号がＣＰＵ３２に入力される。さらに、ＣＰＵ３２は、前記の入力信号と記憶手段３３に予め記憶されている情報を読み出して、所要の判断を行い、その結果に応じて各排出口６Ｐ，６Ｑ，６Ｒ，６Ｓのレノイド制御部２８Ｐ，２８Ｑ，２８Ｒ，２８Ｓに対してそれぞれのソレノイド２７Ｐ，２７Ｑ，２７Ｒ，２７Ｓを作動させる開閉操作信号を送信するようになっている。
【００２８】
このように構成された分配コンベア１について、石炭火力発電設備における石炭の流れに沿って主にその動作を以下に説明する。
【００２９】
石炭船などで搬入された原炭は一旦原炭バンカに蓄えられ、原炭バンカから取り出された原炭は、まず、粗粉砕機である程度粉砕された後に、石炭Ｃはコンベアなどにより本願にかかる分配コンベア１に単一の供給口５から連続的に供給されることになる。この供給口５の下方で駆動スプロケット１４側の部分には上底１１が設置されている。その上底１１上から延在する移送チェーン１６は、供給口５の直下を走行しており、しかもその移送チェーン１６にはスクレパー１８が装着されているが、スクレパー１８が間歇的に装着されているに過ぎないので、これらの移送チェーン１６やスクレパー１８が供給口５の下方を走行していても、石炭Ｃの供給をほとんど阻害せず、石炭Ｃは上底１１の脇の空間からケーシング２の従動スプロケット１５側の底部２ａ上に集中的に達する。
【００３０】
そして、この部分の底板２ｂ上には、従動スプロケット１５から駆動スプロケット１４側に引き出された張り側の移送チェーン１６が延在しており、この移送チェーン１６に間欠的に設置されているスクレパー１８の間に石炭Ｃが落ち込むことで、移送チェーン１６の駆動スプロケット１４側への移動により、石炭Ｃはスクレパー１８により底板２ｂ上を推し進められることになる。なお、スクレパー１８には、石炭Ｃを効果的にすくい上げるために、図７に示すようにすくい角θが付与されている。
【００３１】
ここで、この分配コンベア１の通常運転時の４つの排出口６Ｐ，６Ｑ，６Ｒ，６Ｓの制御ルーチンを説明する。まず、石炭処理ラインの起動に際して、分配コンベア１から排出される石炭Ｃを４つのうちから最初にいずれの排出口６Ｐ，６Ｑ，６Ｒ，６Ｓから排出するか、すなわち、これらに連なるいずれの中継ホッパ３５Ｐ，３５Ｑ，３５Ｒ，３５Ｓに供給するかを指定して起動を行う。例えば、図示しない起動指令手段から中継ホッパ３５Ｐを指定して起動すると、その信号がＣＰＵ３２を通じて排出口６Ｐのソレノイド制御部２８Ｐに達してソレノイド２７を励磁してシャッター板２６ｂを後退させて排出口６Ｐを開放することになる。この状態で、前記のように、供給口５から石炭Ｃが供給されると、供給された石炭Ｃはスクレパー１８に押されて移送され、排出口６Ｐを通じて中継ホッパ３５Ｐに供給される。この中継ホッパ３５Ｐ内での石炭残量として所定残量が確保されると、レベルセンサ３６Ｐは、その旨の石炭レベル信号をＣＰＵ３２に送信する。
【００３２】
前記の石炭レベル信号を受けたＣＰＵ３２は、中継ホッパ３５Ｐの石炭残量が満たされたと認識して、自動的に次の中継ホッパ３６Ｑに連なる排出口６Ｑを開放する信号をソレノイド制御部２８Ｑに送信し、同時に、先の排出口６Ｐを閉止する信号をソレノイド制御部２８Ｐに向けて送信する。これによって、供給口５から連続的に供給される石炭Ｃの供給先が中継ホッパ３５Ｐから３５Ｑに切り換えられる。この後、その他の排出口６Ｒ，６Ｓは、前記と同様にそれぞれ開放、閉止して、これらに対応する中継ホッパ３５Ｒ，３５Ｓに順に石炭供給が行われる。
【００３３】
前記のようにして中継ホッパ３５Ｓへの石炭供給が行われた後、次には再度最初に石炭供給を行った中継ホッパ３５Ｐへの石炭供給を行うことになる。中継ホッパ３５Ｓへの石炭供給についてレベルセンサ３６Ｓから石炭レベル信号があったとき、排出口６Ｓを閉止し、排出口６Ｐを開放するのは同様であるが、作動のタイミングが少し異なる。この場合には、排出口６Ｐが排出口６Ｓよりも石炭Ｃの流れ（移送方向）で上流側に位置しているので、排出口６Ｐを開放した後、排出口６Ｐより下流側で排出口６Ｓまでの位置にあってスクレパー１８により下流側に移送中の石炭Ｃが、排出口６Ｓから排出されるのが完了するのを待って排出口６Ｓを閉止動作させるようにしている。これは、ケーシング２内において石炭Ｃの堆積を極力防止するためである。この後は、４つの排出口６Ｐ，６Ｑ，６Ｒ，６Ｓに順に前記と同様に石炭Ｃの排出が何度も繰り返すことになる。
【００３４】
なお、以上説明した通常運転時動作は、各中継ホッパ３５Ｐ，３５Ｑ，３５Ｒ，３５Ｓへの石炭Ｃの供給順序を固定したものであるが、各中継ホッパ３５Ｐ，３５Ｑ，３５Ｒ，３５Ｓへの石炭Ｃの供給を各レベルセンサ３６Ｐ，３６Ｑ，３６Ｒ，３６Ｓからの石炭レベル信号で最も石炭Ｃの蓄積量の少ない中継ホッパを選択して、その中継ホッパに対して石炭Ｃ供給を行うようにしてもよい。これらの動作手順などは、制御装置３１の記憶手段３３にプログラムとして記憶されている。
【００３５】
次に、分配コンベア１の詰まり解消動作を説明する。制御装置３１の記憶手段３３には、前記移送機構２の通常使用状態での駆動モータ２１の電流値を特定電流値として予め記憶させてある。駆動モータ２１の電流値は、摩擦や石炭の物性変動などに起因して変動することがあるので、この電流値の変動範囲の上限値を特定電流値とすると詰まりの発生の検出が正確となり望ましい。一方、駆動モータ２１のモータ制御部２１ａに電流センサ２１ｂを設けて駆動モータの駆動電流を検出し、その検出した電流信号をＣＰＵ３２に送信するように構成してある。ＣＰＵ３２においては、電流センサ２１ｂから送信された電流信号の値を、予め記憶手段３３に記憶してある特定電流値と比較して、電流信号の値が特定電流値より大きい場合には、次に述べる詰まり解消動作が行われる。
【００３６】
電流センサ２１ｂからの電流信号が特定電流値より大きい場合、ＣＰＵ３２はケーシング２内で石炭Ｃによる詰まりが発生したと判断して、前述した通常運転時の制御ルーチンに割り込んで、前記４つの排出口６Ｐ，６Ｑ，６Ｒ，６Ｓのうちの少なくとも一つについてシャッター板２６ｂを透孔２５から後退させて開放状態とする。移送機構３を駆動させたままで、通常運転時とは別にいずれかの排出口を開放状態とすることで、その排出口近傍に堆積していた石炭Ｃを排出して詰まりを緩和あるいは解消することができる。詰まり解消動作として開放することが最も有効であるのは、前記供給口５直下に位置する排出口６Ｐである。供給口５から供給された石炭Ｃのほとんどが一旦堆積する部分だからである。また、最下流側の排出口６Ｓを開放することも詰まり解消に有効である。この部分は、駆動スプロケット１４の近傍にカバー１２が設けられて空間が狭くなっていて、また石炭Ｃを上底１１上に移送することもできないので詰まりを発生しやすいからである。さらに、詰まり解消動作として、２以上の排出口６Ｐ，６Ｑ，６Ｒ，６Ｓを開放するようにしてもよいことはいうまでもなく、場合により排出口６Ｐ，６Ｑ，６Ｒ，６Ｓの全てを開放すればより確実に詰まりを解消することができる。そして、電流センサ２１ｂからの電流信号が特定電流値以下となれば、排出口を開放したことにより詰まりが緩和または解消したとＣＰＵ３２が判断して、この作業に伴って開いた排出口を閉じ、以前の通常運転状態に復帰してもとの通常運転を継続することになる。
【００３７】
なお、通常運転時に開口する排出口を決めるのにあたり、各中継ホッパ３５Ｐ，３５Ｑ，３５Ｒ，３５Ｓへの石炭Ｃの供給を各レベルセンサ３６Ｐ，３６Ｑ，３６Ｒ，３６Ｓからの石炭レベル信号で最も石炭Ｃの蓄積量の少ない中継ホッパを選択して、その中継ホッパに連なる排出口とするものの場合には、詰まり解消動作からの復帰時には、格別に以前の通常運転の状態にこだわらずに、その時点での石炭レベル信号から最も石炭Ｃの蓄積量の少ない中継ホッパを選択しても全く差し支えはない。
【００３８】
また、最も下流側の排出口６Ｓについて通常運転時に開放状態のままとしておいても石炭Ｃの４分配をすることができる。そのような通常使用状態では、残る３つの排出口６Ｐ，６Ｑ，６Ｒについて、そのうちの少なくとも一つの開放動作を行うという形態で以上説明した本願発明の詰まり解消動作を行って効果を得ることができる。
【符号の説明】
【００３９】
１              分配コンベア
２              ケーシング
２ａ            底部
２ｂ            底板
３              移送機構
５              供給口
６Ｐ、６Ｑ、６Ｒ、６Ｓ  排出口
１１            上底
１１ａ          突条部
１１ｂ          案内支持部材
１２            カバー
１４            駆動スプロケット
１５            従動スプロケット
１６            移送チェーン
１７            リンク
１８            スクレパー
２１            駆動モータ
２１ａ          モータ制御部
２１ｂ          電流センサ
２２            チェーン
２５            透孔
２６            シャッター機構
２６ａ          シャッター板案内保持枠
２６ｂ          シャッター板
２７            ソレノイド
２７ａ          操作ロッド
２７ｂ          シリンダ
２８            ソレノイド制御部
３１            制御装置
３２            ＣＰＵ
３３            記憶手段
３５Ｐ、３５Ｑ、３５Ｒ、３５Ｓ  中継ホッパ
３６Ｐ、３６Ｑ、３６Ｒ、３６Ｓ  レベルセンサ
Ｃ          （粒状または粉状に破砕された）石炭
【図１】
2011105439.tif 000003
【図２】
2011105439.tif 000004
【図３】
2011105439.tif 000005
【図４】
2011105439.tif 000006
【図５】
2011105439.tif 000007
【図６】
2011105439.tif 000008
【図７】
2011105439.tif 000009